(57)【要約】【課題】繰り返し使用している間に１対の部材を係合し保持するピン部材の弾性力が低下し、第１の係止部と第２の係止部との係合が外れてしまった場合にも、１対の部材の開放端部どうしの間隔が第１の係止部と第２の係止部との係合が外れた状態を保ち、なおかつ第２の係止部を備えた部材が上記係合が外れた状態以上に勝手に外側へ開かないようにしたピアスイヤリングを提供しようとするものである。【解決手段】イヤリング本体を構成する１対の部材の一端を、それぞれ軸受部およびこの軸受部に軸着した回転部とし、他端の開放端部が突き合わされる方向に軸を介して１対の部材を開閉自在に軸着し、一方の部材の開放端部には第１の係止部を備えたピン部材を設け、他方の部材の開放端部には上記第１の係止部に係合する第２の係止部を設け、さらに軸受部と回転部とで構成される軸着部分に、上記一方の部材の開放端部と他方の部材の開放端部とが、第１の係止部と第２の係止部との係合が外れた状態以上に開くのを規制する開放抑制手段を設けたことを特徴とするピアスイヤリング。【選択図】　　　　　図３
2004049531.tif 000002
【特許請求の範囲】
【請求項１】
イヤリング本体を構成する１対の部材の一端を、それぞれ軸受部およびこの軸受部に軸着した回転部とし、他端の開放端部が突き合わされる方向に軸を介して１対の部材を開閉自在に軸着し、一方の部材の開放端部には第１の係止部を備えたピン部材を設け、他方の部材の開放端部には上記第１の係止部に係合する第２の係止部を設け、さらに軸受部と回転部とで構成される軸着部分に、上記一方の部材の開放端部と他方の部材の開放端部とが、第１の係止部と第２の係止部との係合が外れた状態以上に開くのを規制する開放抑制手段を設けたことを特徴とするピアスイヤリング。
【請求項２】
開放抑制手段が、軸受部と回転部とからなる軸着部分の一方に設けた、他方の側に向けて突き当たるよう付勢力を付与した球面部材と、他方に設けた球面部材の接触面とからなり、上記開放抑制手段が軸着部分の軸受部と回転部との間に作用して、一方の部材の開放端部と他方の部材の開放端部とが第１の係止部と第２の係止部との係合が外れた状態以上に開放するのを規制するようにした請求項１に記載のピアスイヤリング。
【請求項３】
開放抑制手段が、軸着部分の軸受部内奥と回転部先端との間に介在させた摺動部材からなり、上記開放抑制手段が軸着部分の軸受部と回転部との間に作用して、上記一方の部材の開放端部と他方の部材の開放端部とが、第１の係止部と第２の係止部との係合が外れた状態以上に開放するのを規制するようにした請求項１に記載のピアスイヤリング。
【請求項４】
開放抑制手段が、軸受部と回転部とからなる軸着部分に設けたバネ部材からなり、上記開放抑制手段が軸着部分の軸受部と回転部との間に作用して、上記一方の部材の開放端部と他方の部材の開放端部とが第１の係止部と第２の係止部との係合が外れた状態以上に開放するのを規制するようにした請求項１に記載のピアスイヤリング。
【請求項５】
開放抑制手段が、軸受部と回転部とからなる軸着部分におけるカシメ構造からなり、上記開放抑制手段が軸着部分の軸受部と回転部との間に作用して、上記一方の部材の開放端部と他方の部材の開放端部とが第１の係止部と第２の係止部との係合が外れた状態以上に開放するのを規制するようにした請求項１に記載のピアスイヤリング。
【発明の詳細な説明】
【０００１】
【発明の属する技術分野】この発明は円弧状に湾曲した１対の部材を回転軸で開閉自在に連結して一体化し、かつ上記一方の部材に取り付けたピン部材を耳たぶに挿入して着用するピアスイヤリングに関し、特に使用中に不用意にピアスイヤリングが耳たぶから抜け落ちないようにするためのセーフティ機能を持ったピアスイヤリングに関するものである。
【０００２】
【従来の技術】従来、ピアスイヤリングの分野においては中折れ式と称する種類のものが市販されている。そのような中折れ式の代表的なピアスイヤリングは、実公平６−２５１３９号公報に示されている。すなわち、図２４に示すように、耳飾り本体を構成する１対の部材１，１’の一端を連結して、他端の開放端部が突き合わされる方向に軸８で開閉自在に軸着するとともに、一方の部材１の開放端部には側周に第１の係止部３を設けたピン部材２を、他方の部材１’の開放端部には上記ピン部材の進入を可能とする傾斜面からなるガイドを備えた、上記第１の係止部３に係合する突起（第２の係止部）４と、ピン部材の先端を突き当ててそれ以上の進入を禁止するストッパ（図示せず）とを形成するとともに、第１の係止部３が突起（第２の係止部）４方向に付勢される弾性をピン部材２に持たせたことを特徴とするものである。
【０００３】また、特開平７−２０４０１６号公報には同じ中折れ式のピアスイヤリングとして、イヤリング本体を１対の挟着部材を組み付けて構成し、その一端をそれぞれ軸を介して開放端部が突き合わされる方向に開閉可能に軸着し、それぞれの挟着部材の開放端部には耳当て板を設けた上、一方の開放端部には内周側に係止溝を備え、かつ所定の弾性を有するピン部材を設け、上記他方の挟着部材の開放端部の耳当て板には上記ピン部材を挿通する開口部を形成し、この開口部の下部に上記ピン部材の係止溝と係合する係止部を設けるとともに、他方の挟着部材の内周面に上記開口部を通り抜けたピン部材の先端を当接させて、ピン部材のそれ以上の進入を防止するようにしたピアスイヤリングが提案されている。
【０００４】そして、上記実公平６−２５１３９号公報および特開平７−２０４０１６号公報に示されたいずれのピアスイヤリングも、１対の部材で構成されたピアスイヤリング本体の両部材を軸を介して連結して開閉自在とし、一方の部材の開放端部に設けたピン部材を耳たぶの孔に挿入した後、このピン部材が有する係止部（第１の係止部）へ他方の部材の開放端部に設けた抜け止め部（第２の係止部）を耳たぶの裏側から耳たぶを挟み込むようにはめ込む（係合させる）とともに、上記ピン部材の弾性力を利用して、上記１対の部材の係合状態を保持させるように構成されたピアスイヤリングである。
【０００５】
【発明が解決しようとする課題】しかしながら、従来の上記実公平６−２５１３９号公報および特開平７−２０４０１６号公報に示された各ピアスイヤリングにおいては、繰り返し使用していると１対の部材を係合し保持するピン部材の弾性力が低下してしまい、使用中に不用意にピアスイヤリングが耳たぶから抜け落ちてしまうという問題点があった。
【０００６】しかも、上記のいずれのピアスイヤリングにおいても、ピン部材がピアスイヤリング本体と同様の金や銀、プラチナ等を主成分とした貴金属素材で作製されているため、ピン部材の弾性力が低下してしまうという事態は、上記貴金属素材そのものの宿命であって、避けることができない問題であった。
【０００７】すなわち、上記各従来例のピアスイヤリングにおいては、１対の部材を係合し保持させるために用いた上記ピン部材の弾性力が低下してしまったことにより、上記ピン部材の係止部（第１の係止部）と他方の部材の抜け止め部（第２の係止部）との係合が保持できなくなり、係合が外れ、図２４に示すように、抜け止め部（第２の係止部）を備えた部材が外側（図２４に示す矢印の方向）へ開いてしまい、その結果ピアスイヤリングが耳たぶから抜け落ちるのである。
【０００８】そこで発明者が鋭意研究した結果、１対の部材を係合し保持するピン部材の弾性力が低下し、第１の係止部と第２の係止部との係合が外れてしまった場合にも、使用中、不用意にピアスイヤリングが耳たぶから抜け落ちることがないようにするには、１対の部材の開放端部どうしの間隔が第１の係止部と第２の係止部との係合が外れた直後の状態（図４等参照）を保つことができるようにするとともに、第２の係止部を備えた部材が上記直後の状態以上に勝手に外側へ開かないようにすることが望ましいという点に想到し、本発明を完成したのである。
【０００９】すなわち本発明の目的は、従来例の上記の問題点を解消することにあり、１対の部材を係合し保持するピン部材の弾性力が低下し、第１の係止部と第２の係止部との係合が外れてしまった場合にも、１対の部材の開放端部どうしの間隔が第１の係止部と第２の係止部との係合が外れた直後の状態を保ち、なおかつ第２の係止部を備えた部材が上記直後の状態以上に勝手に外側へ開かないようにしたピアスイヤリングを提供しようとするものである。
【００１０】ところで、上記各公報の発明とは別に、特開平１０−１９２０１６号公報および特開２００１−１０４０２４号公報には、互いに回動可能に連結された１対のピアス本体の一方の開放端部にほぼ真直状の針状部を、他方の開放端部に形成された凹部に向かって突設あるいは回動可能（ピアスイヤリング兼挟着式イヤリング）に取り付けるとともに、ピアス本体の両開放端部が所定間隔に閉じ、かつその状態を保持するように、板バネによる付勢力を作用させ、しかもピアス本体が所定間隔以上に開いたときには上記付勢力が作用しないようにしたピアスイヤリングが示されている。しかしながらこのピアスイヤリングにおいては、ピアス本体の両開放端部が閉じているか、開いているかのいずれかの状態にその動作が限定されている。すなわち、この場合の板バネによる付勢力では、「開」か「閉」のいずれかの状態しかあり得ないのである。したがって、「開」と「閉」、「その中間」のすくなくとも３つの状態を前提とするこの出願の発明を示唆するものではない。
【００１１】しかも、特開平１０−１９２０１６号公報および特開２００１−１０４０２４号公報に示されたこれらのピアスイヤリングは、ピン部材の弾性を利用して上記１対のピアス本体の係合状態を保持する、第１の係止部と第２の係止部との係合を前提とするものではない。したがって上記従来例のピアスイヤリングにおいては、『繰り返し使用していると１対の部材を係合し保持するピン部材の弾性力が低下し、第１の係止部と第２の係止部との係合状態が保持できなくなり、係合が外れ、使用中に不用意にピアスイヤリングが耳たぶから抜け落ちてしまう。』という課題については何も示唆していない。
【００１２】
【課題を解決するための手段】そして、この発明のピアスイヤリングは、従来例の上記課題を鋭意研究の結果これを解消したものであり、イヤリング本体を構成する１対の部材の一端を、それぞれ軸受部およびこの軸受部に軸着した回転部とし、他端の開放端部が突き合わされる方向に軸を介して１対の部材を開閉自在に軸着し、一方の部材の開放端部には第１の係止部を備えたピン部材を設け、他方の部材の開放端部には上記第１の係止部に係合する第２の係止部を設け、さらに軸受部と回転部とで構成される軸着部分に、上記一方の部材の開放端部と他方の部材の開放端部とが、第１の係止部と第２の係止部との係合が外れた状態以上に開放するのを規制する開放抑制手段を設けたことを特徴とするものである。上記第１の係止部は、ピン部材の外面側にＶ字ないしＵ字の溝状に形成するのが普通であるが、内面側に形成しても、また外周面全体を取り巻くように形成してもよい。上記第２の係止部としては、後述の実施の形態に示すように、第１の係止部に対応して係合できる方向や形状を備えることが望ましい。もちろん、上記他方の部材の開放端部に耳当て部を設け、この耳当て部に窓枠状の開口部を形成し、この開口部の上部もしくは下部を第２の係止部としてもよい。この発明で『第１の係止部と第２の係止部との係合が外れた状態』とは、図４に示すような、係止部の係合が外れた直後の状態をいう。
【００１３】この発明のピアスイヤリングは、上記開放抑制手段が、軸受部と回転部とからなる軸着部分の一方に設けた、他方の側に向けて突き当たるよう付勢力を付与した球面部材と、他方に設けた球面部材の接触面とからなり、上記開放抑制手段が軸着部分の軸受部と回転部との間に作用して、一方の部材の開放端部と他方の部材の開放端部とが第１の係止部と第２の係止部との係合が外れた状態以上に開放するのを規制するようにしたことをも特徴とするものである。この発明で接触面とは、回転部先端の部分をいう。
【００１４】この発明のピアスイヤリングは、上記開放抑制手段が、軸着部分の軸受部内奥と回転部先端との間に介在させた摺動部材からなり、上記開放抑制手段が軸着部分の軸受部と回転部との間に作用して、上記一方の部材の開放端部と他方の部材の開放端部とが、第１の係止部と第２の係止部との係合が外れた状態以上に開放するのを規制するようにしたことをも特徴とするものである。
【００１５】この発明のピアスイヤリングは、上記開放抑制手段が、軸受部と回転部とからなる軸着部分に設けたバネ部材からなり、上記開放抑制手段が軸着部分の軸受部と回転部との間に作用して、上記一方の部材の開放端部と他方の部材の開放端部とが第１の係止部と第２の係止部との係合が外れた状態以上に開放するのを規制するようにしたことをも特徴とするものである。
【００１６】この発明のピアスイヤリングは、上記開放抑制手段が、軸受部と回転部とからなる軸着部分におけるカシメ構造からなり、上記開放抑制手段が軸着部分の軸受部と回転部との間に作用して、上記一方の部材の開放端部と他方の部材の開放端部とが第１の係止部と第２の係止部との係合が外れた状態以上に開放するのを規制するようにしたことをも特徴とするものである。
【００１７】このように構成されたこの発明においては、１対の部材を係合し保持するピン部材の弾性力が低下してしまった場合において、１対の部材の第１の係止部と第２の係止部との係合が外れてしまっても、１対の部材の開放端部どうしの間隔が第１の係止部と第２の係止部との係合が外れた直後の状態を保ち、なおかつ第２の係止部を備えた部材が上記直後の状態以上に勝手に外側へ開くことがない。したがって使用中、不用意にピアスイヤリングが耳たぶから抜け落ちるおそれのないセーフティ機能を持ったピアスイヤリングが提供できるようになった。
【００１８】
【発明の実施の形態】以下図面に基づき、本発明のピアスイヤリングの実施の形態について詳細に説明する。
図１はこの発明のピアスイヤリングの一実施例を示す側面図、図２は１対の部材を分解した状態の側面図、図３は１対の部材を閉じた状態の断面図、図４は係止部の係合が外れた直後の状態の断面図、図５は１対の部材を開いた状態の斜視図、図６は１対の部材を開いた状態の平面図、図７はこの発明のピアスイヤリングの他の実施例を示す側面図、図８は１対の部材を分解した状態の側面図、図９は１対の部材を閉じた状態の断面図、図１０は係止部の係合が外れた直後の状態の断面図、図１１は１対の部材を開いた状態の斜視図、図１２は１対の部材を開いた状態の平面図、図１３はこの発明のピアスイヤリングのさらに別の実施例を示す側面図、図１４は１対の部材を開いた状態の斜視図、図１５は１対の部材を開いた状態の平面図、図１６はこの発明のピアスイヤリングのさらに別の実施例を示す断面図、図１７はこの発明のピアスイヤリングのさらに別の実施例を示す要部断面図、図１８はこの発明のピアスイヤリングのさらに別の実施例を示す側面図、図１９は係止部の係合が外れた直後の状態の側面図、図２０は１対の部材の開放端部の係止部の他の例を示す側面図、図２１はその要部拡大断面図、図２２はこの発明のピアスイヤリングのさらに別の実施例を示す分解状態の平面図、図２３は組み立てた状態の平面図である。
【００１９】図１ないし図６にこの発明のピアスイヤリングの１実施例を示す。図１ないし図６において、イヤリング本体１１は１対の円弧状部材１，１’で構成され、一端を軸８を介して軸着するとともに、開放端部を突き合わせる方向に回転自在に連結してある。この１対の部材１，１’は上記円弧状に限らず、１対の部材１，１’間に耳たぶを挟み込むことができる形状であれば、楕円形、矩形、ひし形、三角形当の種種の形状とすることができる。またその断面も適宜決定することができる。
【００２０】そして、従来のこのようなピアスイヤリングにおいては、これを繰り返し使用していると、１対の部材１，１’を係合し保持するピン部材２の弾性力が低下し、後述の第１の係止部３と第２の係止部４との係合状態が保持できなくなり、係合が外れ、使用中に不用意にピアスイヤリングが耳たぶから抜け落ちてしまうという問題があった。
【００２１】そのためこの発明においては、上記１対の部材１，１’の軸着部分において、一方の部材１の開放端部と他方の部材１’の開放端部とが、第１の係止部３と第２の係止部４との係合が外れた直後の状態以上に開放するのを規制して、上記問題点を解消するための開放抑制手段２３を採用している。この開放抑制手段２３は、軸受部２１内奥に取り付けたコイルバネ２４と、このコイルバネ２４によって回転部２２側に向けて突き当てるよう付勢力を付与された球面部材２５と、回転部２２先端に設けた球面部材２５の接触面２６とからなっている。したがってコイルバネ２４により付勢力を付与された球面部材２５を介し、回転部２２先端の凹面状の接触面２６には常に加圧力が作用しており、１対の部材１，１’は第１の係止部３と第２の係止部４との係合が外れた場合であっても、人為的にでも開こうとしない限り第１の係止部３と第２の係止部４との係合が外れた直後の状態以上に開くことがない。図中２７はコイルバネ２４と球面部材２５の浮き上がりを防止する押え板、２８はコイルバネ２４の末端を固定する止め板である。
【００２２】上記接触面２６は円弧状凹面を備えており、この凹面を備えた接触面２６に上記球面部材２５が収まることができる。もちろん、接触面２６は円弧状凹面を備えていることが望ましいが、この接触面２６を全体として平面状としてもよい。また、上記接触面２６を内周側に向けて後退するよう傾斜させてもよい。要は、接触面２６に球面部材２５を介してコイルバネ２４の付勢力を確実に伝達できるような形状であればよい。また球面部材２５としては、球体、半球状、きのこ状、あるいはその他接触面２６に接する面がすべりやすい形状であれば、適宜の形状とすることができる。
【００２３】上記開放抑制手段２３によれば、上記１対の部材１，１’　の第１の係止部３と第２の係止部４との係合が外れた場合において、上記１対の部材１，１’に開こうとする力が作用しても、上記コイルバネ２４の付勢力により、１対の部材１，１’の開放端部どうしの間隔が第１の係止部３と第２の係止部４との係合が外れた直後の状態を保ち、なおかつ第２の係止部４を備えた部材１’が第１の係止部３と第２の係止部４との係合が外れた直後の状態（図４参照）以上には簡単に外側へ開くことがない。そのため、一方の部材１の開放端部と他方の部材１’の開放端部とが第１の係止部と第２の係止部との係合が外れた状態以上に開放するのを確実に規制することができる。以上のようにして、使用中に不用意にピアスイヤリングが耳たぶから抜け落ちるのを防止しているのである。
この実施例のピアスイヤリングによれば、使用中に１対の部材１，１’の第１の係止部３と第２の係止部４との係合が外れてしまった場合にセイフティー機能が作用し、第２の係止部４を備えた部材１’が外側に開かないのであって、耳たぶに装着する際などのように、人為的に１対の部材１，１’を開く場合にはセイフティー機能は作用することなく、図５に示すように１対の部材１，１’が開き、開いた状態を維持できるのはいうまでもないことである。
【００２４】図７ないし図１２にこの発明のピアスイヤリングの別の実施例を示す。この実施例においては、上記１対の部材１，１’の軸着部分において、一方の部材１の開放端部と他方の部材１’の開放端部とが第１の係止部と第２の係止部との係合が外れた状態以上に開放するのを規制する開放抑制手段は、軸着部分の軸受部２１内奥と回転部２２先端との間に介在させた摺動部材３１である。この摺動部材３１は板状をなし、上端を軸受部２１上面に折り曲げて、軸受部２１上面に設けた固定ピン部材３２を摺動部材３１の端部に設けた取付孔３３に通し、固定ピン部材３２をその上に倒して摺動部材３１を固定している。もちろん、摺動部材３１の固定手段は上記構造に限定されるものではなく、例えば軸受部２１上面に差し渡した固定軸に摺動部材３１の端部を巻き付けたり、摺動部材３１の端部に設けた固定部上に固定ピン部材等を係合したりすること等によって、摺動部材３１を軸受部２１上面に固定することができる。
【００２５】この摺動部材３１は金合金や銀合金、プラチナ合金等の貴金属素材そのものが、あるいはその表面特性が一定のスライド抵抗を備えている。なお、回転部２２の先端３４は内周側に向けて後退するよう傾斜して形成されていても、ほぼ直角に形成されていてもよい。このようにしたので、使用中に上記１対の部材１，１’に開こうとする力が作用しても、摺動部材３１と回転部２２の先端３４との間に働くスライド抵抗により、図１０に示すように簡単には第１の係止部と第２の係止部との係合が外れた状態以上には開くことがない。そのため、一方の部材１の開放端部と他方の部材１’の開放端部とが第１の係止部と第２の係止部との係合が外れた状態以上に開放するのを確実に規制することができ、このようにして、使用中に不用意にピアスイヤリングが耳たぶから抜け落ちるのを防止しているのである。なお、上記摺動部材３１は一点鎖線の円形内に示したように、軸受部２１の端面に傾斜させて設けることもできる。
【００２６】図１３ないし図１５に、この発明のピアスイヤリングのさらに別の実施例を示す。この実施例においては、軸着部分は左右対称の板状をなす軸受部４２と回転部４３とからなっており、かつ上記開放抑制手段は板バネからなるバネ部材４１である。このバネ部材４１は、軸着部分の軸受部４２の内周面にその一端を固定され、他端は軸着部分の回転部４３の内周面に当接している。
【００２７】したがって、上記１対の部材１，１’に開こうとする力が作用しても、バネ部材４１が回転部４３の内周面を押え込もうとする力が作用して、上記１対の部材１，１’の開こうとする力に抗する付勢力が働き、簡単には第１の係止部と第２の係止部との係合が外れた直後の状態以上には開くことがない。そのため、一方の部材１の開放端部と他方の部材１’の開放端部とが第１の係止部と第２の係止部との係合が外れた状態以上に開放するのを確実に規制することができ、このようにして使用中に不用意にピアスイヤリングが耳たぶから抜け落ちるのを防止しているのである。なお、上記板バネに変えて他のバネ材を用いることは自由である。
【００２８】次に、図１６および図１７はこの発明のピアスイヤリングのさらに別の実施例を示す。図１６の実施例においては、上記１対の部材１，１’の軸着部分において、一方の部材１の開放端部と他方の部材１’の開放端部とが第１の係止部と第２の係止部との係合が外れた状態以上に開放するのを規制する開放抑制手段は、軸着部分の軸受部５２内奥と回転部５３先端との隙間に介在させた逆Ｖ字形のバネ部材５１である。この逆Ｖ字形のバネ部材５１は軸着部分の軸受部５２の内周面にその一端を固定され、他端は軸着部分の回転部５３の先端に当接している。したがって、上記１対の部材１，１’に開こうとする力が作用しても、バネ部材５１による回転部５３先端を押す力が作用して、上記１対の部材１，１’の開こうとする力に抗する付勢力が働き、簡単には第１の係止部と第２の係止部との係合が外れた直後の状態以上には開くことがない。
【００２９】また図１７の実施例においては、上記１対の部材１，１’の軸着部分において、一方の部材１の開放端部と他方の部材１’の開放端部とが第１の係止部と第２の係止部との係合が外れた状態以上に開放するのを規制する開放抑制手段は、軸着部分の軸受部６２と回転部６３とを回転可能に軸着する軸６４に巻き付けたバネ部材６１である。このバネ部材６１は、両端をそれぞれ軸受部６２と回転部６３との内周側に固定され、両者を牽引する方向に付勢している。したがって、上記１対の部材１，１’に開こうとする力が作用しても、バネ部材６１による軸受部６２と回転部６３とを牽引する力が作用して、上記１対の部材１，１’の開こうとする力に抗する付勢力が働き、簡単には第１の係止部と第２の係止部との係合が外れた直後の状態以上には開くことがない。
【００３０】図１８および図１９は１対の部材の開放端部の係止部の他の例を示すものである。すなわち、上記一方の円弧状部材７１の開放端部には、その側周上にＶ字ないしＵ字の溝状の第１の係止部７３を設けたピン部材７２がロー付けによって突設されている。ピン部材７２は直線状であり、他方の円弧状部材７１’の開放端部に下向きに設けた耳当て部材７５の取付孔の内側下端に第２の係止部７４が設けられている。そして、軸７６を備えた軸着部分には、１対の部材にそれぞれＮ極およびＳ極を備えた磁石７７，７８が取り付けられている。これらの磁石７７，７８の配置は、図１８のように係止部７３，７４の係合が外れた直後の状態（図１７参照）において、互いのＮ極およびＳ極どうしが引き合うようにしておくことが必要である。
【００３１】図２０および図２１は１対の部材の開放端部の係止部の他の例を示すものである。すなわち、上記一方の円弧状部材８１の開放端部には、その内周上にＶ字ないしＵ字の溝状の第１の係止部８３を設けたピン部材８２がロー付けによって突設されている。ピン部材８２はほぼ直線状であり、他方の円弧状部材８１’の開放端部に下向きに設けた耳当て部材８５の取付孔の内側下端に第２の係止部８４が設けられている。そして、耳当て部材８５の裏側の円弧状部材８１’内周が、上記ピン部材８２の先端を突き当ててそれ以上の進入を防止するストッパとして機能する。その際、ピン部材８２先端は耳当て部材８５を過ぎたあたりで外向きに傾斜してストッパとしての機能を向上させている。
【００３２】図２２および図２３は、この発明のピアスイヤリングのさらに別の実施例を示す。この実施例においては、軸着部分は左右対称の板状をなす軸受部９２と回転部９３とで構成され、かつ上記開放抑制手段は、軸着部分の軸受部９２と回転部９３とを加締めることによって達成することができる。この軸着部分の軸受部９２と回転部９３とを加締めることによって、上記１対の部材１，１’に開こうとする力が作用しても、加締めによる軸受部９２と回転部９３との自由回転を阻止する力が作用して、上記１対の部材１，１’の開こうとする力に対抗する力が働き、簡単には第１の係止部と第２の係止部との係合が外れた直後の状態以上には開くことがない。
もちろん、上記開放抑制手段を軸受部９２と回転部９３との間に配置されたワッシャ９１とすることもでき、この場合には、たとえばワッシャを耐磨耗性部材とすることが望ましい。
【００３３】
【発明の効果】このように構成されたこの発明においては、使用中に１対の部材の第１の係止部と第２の係止部との係合が外れてしまったときにも、１対の部材の開放端部どうしの間隔が第１の係止部と第２の係止部との係合が外れた直後の状態を保ち、なおかつ第２の係止部を備えた部材が第１の係止部と第２の係止部との係合が外れた直後の状態以上に外側へ開くことがない。したがって使用中、不用意にピアスイヤリングが耳たぶから抜け落ちることがない、セイフティー機能をもったピアスイヤリングを提供できるようになった。
【００３４】さらにこの発明によれば、使用中に１対の部材の第１の係止部と第２の係止部との係合が外れてしまっても、上記１対の部材の開放端部どうしの間隔が第１の係止部と第２の係止部との係合が外れた直後の状態を保ち、なおかつ第２の係止部を備えた部材が第１の係止部と第２の係止部との係合が外れた直後の状態以上に外側へ開くことがないから、通常の装着状態と同様の装着状態を維持することができ、さらに見た目には何ら違和感のない装着状態を保持することができる。
【図面の簡単な説明】
【図１】この発明のピアスイヤリングの一実施例を示す側面図である。
【図２】１対の部材を分解した状態の側面図である。
【図３】１対の部材を閉じた状態の断面図である。
【図４】係止部の係合が外れた直後の状態の断面図である。
【図５】１対の部材を開いた状態の斜視図である。
【図６】１対の部材を開いた状態の平面図である。
【図７】この発明のピアスイヤリングの他の実施例を示す側面図である。
【図８】１対の部材を分解した状態の側面図である。
【図９】１対の部材を閉じた状態の断面図である。
【図１０】係止部の係合が外れた直後の状態の断面図である。
【図１１】１対の部材を開いた状態の斜視図である。
【図１２】１対の部材を開いた状態の平面図である。
【図１３】この発明のピアスイヤリングのさらに別の実施例を示す側面図である。
【図１４】１対の部材を開いた状態の斜視図である。
【図１５】１対の部材を開いた状態の平面図である。
【図１６】この発明のピアスイヤリングのさらに別の実施例を示す断面図である。
【図１７】この発明のピアスイヤリングのさらに別の実施例を示す要部断面図である。
【図１８】この発明のピアスイヤリングのさらに別の実施例を示す側面図である。
【図１９】係止部の係合が外れた直後の状態の側面図である
【図２０】１対の部材の開放端部の係止部の他の例を示す側面図である。
【図２１】その要部拡大断面図である。
【図２２】この発明のピアスイヤリングのさらに別の実施例を示す分解状態の平面図である。
【図２３】組み立てた状態の平面図である。
【図２４】従来例のピアスイヤリングの例を示す斜視図である。
【符号の説明】
１，１’　部材
２　ピン部材
３　第１の係止部
４　第２の係止部
８　軸
１１　イヤリング本体
２１　軸受部
２２　回転部
２３　開放抑制手段
２４　コイルバネ
２５　球面部材
２６　接触面
２７　押え板
２８　止め板
３１　摺動部材
３２　固定ピン部材
３３　取付孔
３４　先端
４１　バネ部材
４２　軸受部
４３　回転部
５１　バネ部材
５２　軸受部
５３　回転部
６１　バネ部材
６２　軸受部
６３　回転部
６４　軸
７１，７１’　円弧状部材
７２　ピン部材
７３　第１の係止部
７４　第２の係止部
７５　耳当て部材
７６　軸
７７，７８　磁石
８１，８１’　円弧状部材
８２　ピン部材
８３　第１の係止部
８４　第２の係止部
８５　耳当て部材
９１　ワッシャ
９２　軸受部
９３　回転部
【図１】
2004049531.tif 000003
【図２】
2004049531.tif 000004
【図３】
2004049531.tif 000005
【図４】
2004049531.tif 000006
【図５】
2004049531.tif 000007
【図６】
2004049531.tif 000008
【図７】
2004049531.tif 000009
【図８】
2004049531.tif 000010
【図９】
2004049531.tif 000011
【図１０】
2004049531.tif 000012
【図１１】
2004049531.tif 000013
【図１２】
2004049531.tif 000014
【図１３】
2004049531.tif 000015
【図１４】
2004049531.tif 000016
【図１５】
2004049531.tif 000017
【図１６】
2004049531.tif 000018
【図１７】
2004049531.tif 000019
【図１８】
2004049531.tif 000020
【図１９】
2004049531.tif 000021
【図２０】
2004049531.tif 000022
【図２１】
2004049531.tif 000023
【図２２】
2004049531.tif 000024
【図２３】
2004049531.tif 000025
【図２４】
2004049531.tif 000026
【手続補正書】
【提出日】平成14年10月18日(2002.10.18)
【手続補正１】
【補正対象書類名】明細書
【補正対象項目名】全文
【補正方法】変更
【補正の内容】
【発明の詳細な説明】
【特許請求の範囲】
【請求項１】イヤリング本体を構成する１対の部材の一端を、それぞれ軸受部およびこの軸受部に軸着した回転部とし、他端の開放端部が突き合わされる方向に軸を介して１対の部材を開閉自在に軸着し、一方の部材の開放端部には第１の係止部を備えたピン部材を設け、他方の部材の開放端部には上記第１の係止部に係合する第２の係止部を設け、さらに軸受部と回転部とで構成される軸着部分に、上記一方の部材の開放端部と他方の部材の開放端部とが、第１の係止部と第２の係止部との係合が外れた状態以上に開くのを規制する開放抑制手段を設けたことを特徴とするピアスイヤリング。
【請求項２】開放抑制手段が、軸受部と回転部とからなる軸着部分の一方に設けた、他方の側に向けて突き当たるよう付勢力を付与した球面部材と、他方に設けた球面部材の接触面とからなり、上記開放抑制手段が軸着部分の軸受部と回転部との間に作用して、一方の部材の開放端部と他方の部材の開放端部とが第１の係止部と第２の係止部との係合が外れた状態以上に開放するのを規制するようにした請求項１に記載のピアスイヤリング。
【請求項３】開放抑制手段が、軸着部分の軸受部内奥と回転部先端との間に介在させた摺動部材からなり、上記開放抑制手段が軸着部分の軸受部と回転部との間に作用して、上記一方の部材の開放端部と他方の部材の開放端部とが、第１の係止部と第２の係止部との係合が外れた状態以上に開放するのを規制するようにした請求項１に記載のピアスイヤリング。
【請求項４】開放抑制手段が、軸受部と回転部とからなる軸着部分に設けたバネ部材からなり、上記開放抑制手段が軸着部分の軸受部と回転部との間に作用して、上記一方の部材の開放端部と他方の部材の開放端部とが第１の係止部と第２の係止部との係合が外れた状態以上に開放するのを規制するようにした請求項１に記載のピアスイヤリング。
【請求項５】開放抑制手段が、軸受部と回転部とからなる軸着部分におけるカシメ構造からなり、上記開放抑制手段が軸着部分の軸受部と回転部との間に作用して、上記一方の部材の開放端部と他方の部材の開放端部とが第１の係止部と第２の係止部との係合が外れた状態以上に開放するのを規制するようにした請求項１に記載のピアスイヤリング。
【発明の詳細な説明】
【０００１】
【発明の属する技術分野】この発明は円弧状に湾曲した１対の部材を回転軸で開閉自在に連結して一体化し、かつ上記一方の部材に取り付けたピン部材を耳たぶに挿入して着用するピアスイヤリングに関し、特に使用中に不用意にピアスイヤリングが耳たぶから抜け落ちないようにするためのセーフティ機能を持ったピアスイヤリングに関するものである。
【０００２】
【従来の技術】従来、ピアスイヤリングの分野においては中折れ式と称する種類のものが市販されている。そのような中折れ式の代表的なピアスイヤリングは、実公平６−２５１３９号公報に示されている。すなわち、図２４に示すように、耳飾り本体を構成する１対の部材１，１’の一端を連結して、他端の開放端部が突き合わされる方向に軸８で開閉自在に軸着するとともに、一方の部材１の開放端部には側周に第１の係止部３を設けたピン部材２を、他方の部材１’の開放端部には上記ピン部材の進入を可能とする傾斜面からなるガイドを備えた、上記第１の係止部３に係合する突起（第２の係止部）４と、ピン部材の先端を突き当ててそれ以上の進入を禁止するストッパ（図示せず）とを形成するとともに、第１の係止部３が突起（第２の係止部）４方向に付勢される弾性をピン部材２に持たせたことを特徴とするものである。
【０００３】また、特開平７−２０４０１６号公報には同じ中折れ式のピアスイヤリングとして、イヤリング本体を１対の挟着部材を組み付けて構成し、その一端をそれぞれ軸を介して開放端部が突き合わされる方向に開閉可能に軸着し、それぞれの挟着部材の開放端部には耳当て板を設けた上、一方の開放端部には内周側に係止溝を備え、かつ所定の弾性を有するピン部材を設け、上記他方の挟着部材の開放端部の耳当て板には上記ピン部材を挿通する開口部を形成し、この開口部の下部に上記ピン部材の係止溝と係合する係止部を設けるとともに、他方の挟着部材の内周面に上記開口部を通り抜けたピン部材の先端を当接させて、ピン部材のそれ以上の進入を防止するようにしたピアスイヤリングが提案されている。
【０００４】そして、上記実公平６−２５１３９号公報および特開平７−２０４０１６号公報に示されたいずれのピアスイヤリングも、１対の部材で構成されたピアスイヤリング本体の両部材を軸を介して連結して開閉自在とし、一方の部材の開放端部に設けたピン部材を耳たぶの孔に挿入した後、このピン部材が有する係止部（第１の係止部）へ他方の部材の開放端部に設けた抜け止め部（第２の係止部）を耳たぶの裏側から耳たぶを挟み込むようにはめ込む（係合させる）とともに、上記ピン部材の弾性力を利用して、上記１対の部材の係合状態を保持させるように構成されたピアスイヤリングである。
【０００５】
【発明が解決しようとする課題】しかしながら、従来の上記実公平６−２５１３９号公報および特開平７−２０４０１６号公報に示された各ピアスイヤリングにおいては、繰り返し使用していると１対の部材を係合し保持するピン部材の弾性力が低下してしまい、使用中に不用意にピアスイヤリングが耳たぶから抜け落ちてしまうという問題点があった。
【０００６】しかも、上記のいずれのピアスイヤリングにおいても、ピン部材がピアスイヤリング本体と同様の金や銀、プラチナ等を主成分とした貴金属素材で作製されているため、ピン部材の弾性力が低下してしまうという事態は、上記貴金属素材そのものの宿命であって、避けることができない問題であった。
【０００７】すなわち、上記各従来例のピアスイヤリングにおいては、１対の部材を係合し保持させるために用いた上記ピン部材の弾性力が低下してしまったことにより、上記ピン部材の係止部（第１の係止部）と他方の部材の抜け止め部（第２の係止部）との係合が保持できなくなり、係合が外れ、図２４に示すように、抜け止め部（第２の係止部）を備えた部材が外側（図２４に示す矢印の方向）へ開いてしまい、その結果ピアスイヤリングが耳たぶから抜け落ちるのである。
【０００８】そこで発明者が鋭意研究した結果、１対の部材を係合し保持するピン部材の弾性力が低下し、第１の係止部と第２の係止部との係合が外れてしまった場合にも、使用中、不用意にピアスイヤリングが耳たぶから抜け落ちることがないようにするには、１対の部材の開放端部どうしの間隔が第１の係止部と第２の係止部との係合が外れた状態（図４等参照）を保つことができるようにするとともに、第２の係止部を備えた部材が上記係合が外れた状態以上に勝手に外側へ開かないようにすることが望ましいという点に想到し、本発明を完成したのである。
【０００９】すなわち本発明の目的は、従来例の上記の問題点を解消することにあり、１対の部材を係合し保持するピン部材の弾性力が低下し、第１の係止部と第２の係止部との係合が外れてしまった場合にも、１対の部材の開放端部どうしの間隔が第１の係止部と第２の係止部との係合が外れた状態を保ち、なおかつ第２の係止部を備えた部材が上記係合が外れた状態以上に勝手に外側へ開かないようにしたピアスイヤリングを提供しようとするものである。
【００１０】ところで、上記各公報の発明とは別に、特開平１０−１９２０１６号公報および特開２００１−１０４０２４号公報には、互いに回動可能に連結された１対のピアス本体の一方の開放端部にほぼ真直状の針状部を、他方の開放端部に形成された凹部に向かって突設あるいは回動可能（ピアスイヤリング兼挟着式イヤリング）に取り付けるとともに、ピアス本体の両開放端部が所定間隔に閉じ、かつその状態を保持するように、板バネによる付勢力を作用させ、しかもピアス本体が所定間隔以上に開いたときには上記付勢力が作用しないようにしたピアスイヤリングが示されている。しかしながらこのピアスイヤリングにおいては、ピアス本体の両開放端部が閉じているか、開いているかのいずれかの状態にその動作が限定されている。すなわち、この場合の板バネによる付勢力では、「開」か「閉」のいずれかの状態しかあり得ないのである。したがって、「開」と「閉」、「その中間」のすくなくとも３つの状態を前提とするこの出願の発明を示唆するものではない。
【００１１】しかも、特開平１０−１９２０１６号公報および特開２００１−１０４０２４号公報に示されたこれらのピアスイヤリングは、ピン部材の弾性を利用して上記１対のピアス本体の係合状態を保持する、第１の係止部と第２の係止部との係合を前提とするものではない。したがって上記従来例のピアスイヤリングにおいては、『繰り返し使用していると１対の部材を係合し保持するピン部材の弾性力が低下し、第１の係止部と第２の係止部との係合状態が保持できなくなり、係合が外れ、使用中に不用意にピアスイヤリングが耳たぶから抜け落ちてしまう。』という課題については何も示唆していない。
【００１２】
【課題を解決するための手段】そして、この発明のピアスイヤリングは、従来例の上記課題を鋭意研究の結果これを解消したものであり、イヤリング本体を構成する１対の部材の一端を、それぞれ軸受部およびこの軸受部に軸着した回転部とし、他端の開放端部が突き合わされる方向に軸を介して１対の部材を開閉自在に軸着し、一方の部材の開放端部には第１の係止部を備えたピン部材を設け、他方の部材の開放端部には上記第１の係止部に係合する第２の係止部を設け、さらに軸受部と回転部とで構成される軸着部分に、上記一方の部材の開放端部と他方の部材の開放端部とが、第１の係止部と第２の係止部との係合が外れた状態以上に開放するのを規制する開放抑制手段を設けたことを特徴とするものである。上記第１の係止部は、ピン部材の外面側にＶ字ないしＵ字の溝状に形成するのが普通であるが、内面側に形成しても、また外周面全体を取り巻くように形成してもよい。上記第２の係止部としては、後述の実施の形態に示すように、第１の係止部に対応して係合できる方向や形状を備えることが望ましい。もちろん、上記他方の部材の開放端部に耳当て部を設け、この耳当て部に窓枠状の開口部を形成し、この開口部の上部もしくは下部を第２の係止部としてもよい。この発明で『第１の係止部と第２の係止部との係合が外れた状態』とは、図４に示すような、係止部の係合が外れた状態をいう。
【００１３】この発明のピアスイヤリングは、上記開放抑制手段が、軸受部と回転部とからなる軸着部分の一方に設けた、他方の側に向けて突き当たるよう付勢力を付与した球面部材と、他方に設けた球面部材の接触面とからなり、上記開放抑制手段が軸着部分の軸受部と回転部との間に作用して、一方の部材の開放端部と他方の部材の開放端部とが第１の係止部と第２の係止部との係合が外れた状態以上に開放するのを規制するようにしたことをも特徴とするものである。この発明で接触面とは、回転部先端の部分をいう。
【００１４】この発明のピアスイヤリングは、上記開放抑制手段が、軸着部分の軸受部内奥と回転部先端との間に介在させた摺動部材からなり、上記開放抑制手段が軸着部分の軸受部と回転部との間に作用して、上記一方の部材の開放端部と他方の部材の開放端部とが、第１の係止部と第２の係止部との係合が外れた状態以上に開放するのを規制するようにしたことをも特徴とするものである。
【００１５】この発明のピアスイヤリングは、上記開放抑制手段が、軸受部と回転部とからなる軸着部分に設けたバネ部材からなり、上記開放抑制手段が軸着部分の軸受部と回転部との間に作用して、上記一方の部材の開放端部と他方の部材の開放端部とが第１の係止部と第２の係止部との係合が外れた状態以上に開放するのを規制するようにしたことをも特徴とするものである。
【００１６】この発明のピアスイヤリングは、上記開放抑制手段が、軸受部と回転部とからなる軸着部分におけるカシメ構造からなり、上記開放抑制手段が軸着部分の軸受部と回転部との間に作用して、上記一方の部材の開放端部と他方の部材の開放端部とが第１の係止部と第２の係止部との係合が外れた状態以上に開放するのを規制するようにしたことをも特徴とするものである。
【００１７】このように構成されたこの発明においては、１対の部材を係合し保持するピン部材の弾性力が低下してしまった場合において、１対の部材の第１の係止部と第２の係止部との係合が外れてしまっても、１対の部材の開放端部どうしの間隔が第１の係止部と第２の係止部との係合が外れた状態を保ち、なおかつ第２の係止部を備えた部材が上記係合が外れた状態以上に勝手に外側へ開くことがない。したがって使用中、不用意にピアスイヤリングが耳たぶから抜け落ちるおそれのないセーフティ機能を持ったピアスイヤリングが提供できるようになった。
【００１８】
【発明の実施の形態】以下図面に基づき、本発明のピアスイヤリングの実施の形態について詳細に説明する。
図１はこの発明のピアスイヤリングの一実施例を示す側面図、図２は１対の部材を分解した状態の側面図、図３は１対の部材を閉じた状態の断面図、図４は係止部の係合が外れた状態の断面図、図５は１対の部材を開いた状態の斜視図、図６は１対の部材を開いた状態の平面図、図７はこの発明のピアスイヤリングの他の実施例を示す側面図、図８は１対の部材を分解した状態の側面図、図９は１対の部材を閉じた状態の断面図、図１０は係止部の係合が外れた状態の断面図、図１１は１対の部材を開いた状態の斜視図、図１２は１対の部材を開いた状態の平面図、図１３はこの発明のピアスイヤリングのさらに別の実施例を示す側面図、図１４は１対の部材を開いた状態の斜視図、図１５は１対の部材を開いた状態の平面図、図１６はこの発明のピアスイヤリングのさらに別の実施例を示す断面図、図１７はこの発明のピアスイヤリングのさらに別の実施例を示す要部断面図、図１８はこの発明のピアスイヤリングのさらに別の実施例を示す側面図、図１９は係止部の係合が外れた状態の側面図、図２０は１対の部材の開放端部の係止部の他の例を示す側面図、図２１はその要部拡大断面図、図２２はこの発明のピアスイヤリングのさらに別の実施例を示す分解状態の平面図、図２３は組み立てた状態の平面図である。
【００１９】図１ないし図６にこの発明のピアスイヤリングの１実施例を示す。図１ないし図６において、イヤリング本体１１は１対の円弧状部材１，１’で構成され、一端を軸８を介して軸着するとともに、開放端部を突き合わせる方向に回転自在に連結してある。この１対の部材１，１’は上記円弧状に限らず、１対の部材１，１’間に耳たぶを挟み込むことができる形状であれば、楕円形、矩形、ひし形、三角形当の種種の形状とすることができる。またその断面も適宜決定することができる。
【００２０】そして、従来のこのようなピアスイヤリングにおいては、これを繰り返し使用していると、１対の部材１，１’を係合し保持するピン部材２の弾性力が低下し、後述の第１の係止部３と第２の係止部４との係合状態が保持できなくなり、係合が外れ、使用中に不用意にピアスイヤリングが耳たぶから抜け落ちてしまうという問題があった。
【００２１】そのためこの発明においては、上記１対の部材１，１’の軸着部分において、一方の部材１の開放端部と他方の部材１’の開放端部とが、第１の係止部３と第２の係止部４との係合が外れた状態以上に開放するのを規制して、上記問題点を解消するための開放抑制手段２３を採用している。この開放抑制手段２３は、軸受部２１内奥に取り付けたコイルバネ２４と、このコイルバネ２４によって回転部２２側に向けて突き当てるよう付勢力を付与された球面部材２５と、回転部２２先端に設けた球面部材２５の接触面２６とからなっている。したがってコイルバネ２４により付勢力を付与された球面部材２５を介し、回転部２２先端の凹面状の接触面２６には常に加圧力が作用しており、１対の部材１，１’は第１の係止部３と第２の係止部４との係合が外れた場合であっても、人為的にでも開こうとしない限り第１の係止部３と第２の係止部４との係合が外れた状態以上に開くことがない。図中２７はコイルバネ２４と球面部材２５の浮き上がりを防止する押え板、２８はコイルバネ２４の末端を固定する止め板である。
【００２２】上記接触面２６は円弧状凹面を備えており、この凹面を備えた接触面２６に上記球面部材２５が収まることができる。もちろん、接触面２６は円弧状凹面を備えていることが望ましいが、この接触面２６を全体として平面状としてもよい。また、上記接触面２６を内周側に向けて後退するよう傾斜させてもよい。要は、接触面２６に球面部材２５を介してコイルバネ２４の付勢力を確実に伝達できるような形状であればよい。また球面部材２５としては、球体、半球状、きのこ状、あるいはその他接触面２６に接する面がすべりやすい形状であれば、適宜の形状とすることができる。
【００２３】上記開放抑制手段２３によれば、上記１対の部材１，１’　の第１の係止部３と第２の係止部４との係合が外れた場合において、上記１対の部材１，１’に開こうとする力が作用しても、上記コイルバネ２４の付勢力により、１対の部材１，１’の開放端部どうしの間隔が第１の係止部３と第２の係止部４との係合が外れた状態を保ち、なおかつ第２の係止部４を備えた部材１’が第１の係止部３と第２の係止部４との係合が外れた状態（図４参照）以上には簡単に外側へ開くことがない。そのため、一方の部材１の開放端部と他方の部材１’の開放端部とが第１の係止部と第２の係止部との係合が外れた状態以上に開放するのを確実に規制することができる。以上のようにして、使用中に不用意にピアスイヤリングが耳たぶから抜け落ちるのを防止しているのである。
この実施例のピアスイヤリングによれば、使用中に１対の部材１，１’の第１の係止部３と第２の係止部４との係合が外れてしまった場合にセイフティー機能が作用し、第２の係止部４を備えた部材１’が外側に開かないのであって、耳たぶに装着する際などのように、人為的に１対の部材１，１’を開く場合にはセイフティー機能は作用することなく、図５に示すように１対の部材１，１’が開き、開いた状態を維持できるのはいうまでもないことである。
【００２４】図７ないし図１２にこの発明のピアスイヤリングの別の実施例を示す。この実施例においては、上記１対の部材１，１’の軸着部分において、一方の部材１の開放端部と他方の部材１’の開放端部とが第１の係止部と第２の係止部との係合が外れた状態以上に開放するのを規制する開放抑制手段は、軸着部分の軸受部２１内奥と回転部２２先端との間に介在させた摺動部材３１である。この摺動部材３１は板状をなし、上端を軸受部２１上面に折り曲げて、軸受部２１上面に設けた固定ピン部材３２を摺動部材３１の端部に設けた取付孔３３に通し、固定ピン部材３２をその上に倒して摺動部材３１を固定している。もちろん、摺動部材３１の固定手段は上記構造に限定されるものではなく、例えば軸受部２１上面に差し渡した固定軸に摺動部材３１の端部を巻き付けたり、摺動部材３１の端部に設けた固定部上に固定ピン部材等を係合したりすること等によって、摺動部材３１を軸受部２１上面に固定することができる。
【００２５】この摺動部材３１は金合金や銀合金、プラチナ合金等の貴金属素材そのものが、あるいはその表面特性が一定のスライド抵抗を備えている。なお、回転部２２の先端３４は内周側に向けて後退するよう傾斜して形成されていても、ほぼ直角に形成されていてもよい。このようにしたので、使用中に上記１対の部材１，１’に開こうとする力が作用しても、摺動部材３１と回転部２２の先端３４との間に働くスライド抵抗により、図１０に示すように簡単には第１の係止部と第２の係止部との係合が外れた状態以上には開くことがない。そのため、一方の部材１の開放端部と他方の部材１’の開放端部とが第１の係止部と第２の係止部との係合が外れた状態以上に開放するのを確実に規制することができ、このようにして、使用中に不用意にピアスイヤリングが耳たぶから抜け落ちるのを防止しているのである。なお、上記摺動部材３１は一点鎖線の円形内に示したように、軸受部２１の端面に傾斜させて設けることもできる。
【００２６】図１３ないし図１５に、この発明のピアスイヤリングのさらに別の実施例を示す。この実施例においては、軸着部分は左右対称の板状をなす軸受部４２と回転部４３とからなっており、かつ上記開放抑制手段は板バネからなるバネ部材４１である。このバネ部材４１は、軸着部分の軸受部４２の内周面にその一端を固定され、他端は軸着部分の回転部４３の内周面に当接している。
【００２７】したがって、上記１対の部材１，１’に開こうとする力が作用しても、バネ部材４１が回転部４３の内周面を押え込もうとする力が作用して、上記１対の部材１，１’の開こうとする力に抗する付勢力が働き、簡単には第１の係止部と第２の係止部との係合が外れた状態以上には開くことがない。そのため、一方の部材１の開放端部と他方の部材１’の開放端部とが第１の係止部と第２の係止部との係合が外れた状態以上に開放するのを確実に規制することができ、このようにして使用中に不用意にピアスイヤリングが耳たぶから抜け落ちるのを防止しているのである。なお、上記板バネに変えて他のバネ材を用いることは自由である。
【００２８】次に、図１６および図１７はこの発明のピアスイヤリングのさらに別の実施例を示す。図１６の実施例においては、上記１対の部材１，１’の軸着部分において、一方の部材１の開放端部と他方の部材１’の開放端部とが第１の係止部と第２の係止部との係合が外れた状態以上に開放するのを規制する開放抑制手段は、軸着部分の軸受部５２内奥と回転部５３先端との隙間に介在させた逆Ｖ字形のバネ部材５１である。この逆Ｖ字形のバネ部材５１は軸着部分の軸受部５２の内周面にその一端を固定され、他端は軸着部分の回転部５３の先端に当接している。したがって、上記１対の部材１，１’に開こうとする力が作用しても、バネ部材５１による回転部５３先端を押す力が作用して、上記１対の部材１，１’の開こうとする力に抗する付勢力が働き、簡単には第１の係止部と第２の係止部との係合が外れた状態以上には開くことがない。
【００２９】また図１７の実施例においては、上記１対の部材１，１’の軸着部分において、一方の部材１の開放端部と他方の部材１’の開放端部とが第１の係止部と第２の係止部との係合が外れた状態以上に開放するのを規制する開放抑制手段は、軸着部分の軸受部６２と回転部６３とを回転可能に軸着する軸６４に巻き付けたバネ部材６１である。このバネ部材６１は、両端をそれぞれ軸受部６２と回転部６３との内周側に固定され、両者を牽引する方向に付勢している。したがって、上記１対の部材１，１’に開こうとする力が作用しても、バネ部材６１による軸受部６２と回転部６３とを牽引する力が作用して、上記１対の部材１，１’の開こうとする力に抗する付勢力が働き、簡単には第１の係止部と第２の係止部との係合が外れた状態以上には開くことがない。
【００３０】図１８および図１９は１対の部材の開放端部の係止部の他の例を示すものである。すなわち、上記一方の円弧状部材７１の開放端部には、その側周上にＶ字ないしＵ字の溝状の第１の係止部７３を設けたピン部材７２がロー付けによって突設されている。ピン部材７２は直線状であり、他方の円弧状部材７１’の開放端部に下向きに設けた耳当て部材７５の取付孔の内側下端に第２の係止部７４が設けられている。そして、軸７６を備えた軸着部分には、１対の部材にそれぞれＮ極およびＳ極を備えた磁石７７，７８が取り付けられている。これらの磁石７７，７８の配置は、図１９のように係止部７３，７４の係合が外れた状態において、互いのＮ極およびＳ極どうしが引き合うようにしておくことが必要である。
【００３１】図２０および図２１は１対の部材の開放端部の係止部の他の例を示すものである。すなわち、上記一方の円弧状部材８１の開放端部には、その内周上にＶ字ないしＵ字の溝状の第１の係止部８３を設けたピン部材８２がロー付けによって突設されている。ピン部材８２はほぼ直線状であり、他方の円弧状部材８１’の開放端部に下向きに設けた耳当て部材８５の取付孔の内側下端に第２の係止部８４が設けられている。そして、耳当て部材８５の裏側の円弧状部材８１’内周が、上記ピン部材８２の先端を突き当ててそれ以上の進入を防止するストッパとして機能する。その際、ピン部材８２先端は耳当て部材８５を過ぎたあたりで外向きに傾斜してストッパとしての機能を向上させている。
【００３２】図２２および図２３は、この発明のピアスイヤリングのさらに別の実施例を示す。この実施例においては、軸着部分は左右対称の板状をなす軸受部９２と回転部９３とで構成され、かつ上記開放抑制手段は、軸着部分の軸受部９２と回転部９３とを軸９４を介して軸着し、軸着部位を加締めることによって達成することができる。この軸着部位を加締めることによって、上記１対の部材１，１’に開こうとする力が作用しても、加締めによる軸受部９２と回転部９３との自由回転を阻止する力が作用して、上記１対の部材１，１’の開こうとする力に対抗する力が働き、簡単には第１の係止部と第２の係止部との係合が外れた状態以上には開くことがない。
そのため、一方の部材１の開放端部と他方の部材１’の開放端部とが第１の係止部と第２の係止部との係合が外れた状態以上に開放するのを確実に規制することができる。このようにして使用中、不用意にピアスイヤリングが耳たぶから抜け落ちるのを防止しているのである。
もちろん、軸受部９２と回転部９３との間にワッシャ９１を配置し、軸９４を介して軸着し、軸着部位を加締めてもよい。このような場合には、たとえばワッシャとして耐磨耗性に優れた部材を用いることが望ましい。
【００３３】
【発明の効果】このように構成されたこの発明においては、使用中に１対の部材の第１の係止部と第２の係止部との係合が外れてしまったときにも、１対の部材の開放端部どうしの間隔が第１の係止部と第２の係止部との係合が外れた状態を保ち、なおかつ第２の係止部を備えた部材が第１の係止部と第２の係止部との係合が外れた状態以上に外側へ開くことがない。したがって使用中、不用意にピアスイヤリングが耳たぶから抜け落ちることがない、セイフティー機能をもったピアスイヤリングを提供できるようになった。
【００３４】さらにこの発明のピアスイヤリングによれば、使用中に１対の部材の第１の係止部と第２の係止部との係合が外れてしまっても、不用意にピアスイヤリングが耳たぶから抜け落ちることがない。したがって使用中にピアスイヤリングを紛失することがない。
【図面の簡単な説明】
【図１】この発明のピアスイヤリングの一実施例を示す側面図である。
【図２】１対の部材を分解した状態の側面図である。
【図３】１対の部材を閉じた状態の断面図である。
【図４】係止部の係合が外れた状態の断面図である。
【図５】１対の部材を開いた状態の斜視図である。
【図６】１対の部材を開いた状態の平面図である。
【図７】この発明のピアスイヤリングの他の実施例を示す側面図である。
【図８】１対の部材を分解した状態の側面図である。
【図９】１対の部材を閉じた状態の断面図である。
【図１０】係止部の係合が外れた状態の断面図である。
【図１１】１対の部材を開いた状態の斜視図である。
【図１２】１対の部材を開いた状態の平面図である。
【図１３】この発明のピアスイヤリングのさらに別の実施例を示す側面図である。
【図１４】１対の部材を開いた状態の斜視図である。
【図１５】１対の部材を開いた状態の平面図である。
【図１６】この発明のピアスイヤリングのさらに別の実施例を示す断面図である。
【図１７】この発明のピアスイヤリングのさらに別の実施例を示す要部断面図である。
【図１８】この発明のピアスイヤリングのさらに別の実施例を示す側面図である。
【図１９】係止部の係合が外れた状態の側面図である。
【図２０】１対の部材の開放端部の係止部の他の例を示す側面図である。
【図２１】その要部拡大断面図である。
【図２２】この発明のピアスイヤリングのさらに別の実施例を示す分解状態の平面図である。
【図２３】組み立てた状態の平面図である。
【図２４】従来例のピアスイヤリングの例を示す斜視図である。
【符号の説明】
１，１’　部材
２　ピン部材
３　第１の係止部
４　第２の係止部
８　軸
１１　イヤリング本体
２１　軸受部
２２　回転部
２３　開放抑制手段
２４　コイルバネ
２５　球面部材
２６　接触面
２７　押え板
２８　止め板
３１　摺動部材
３２　固定ピン部材
３３　取付孔
３４　先端
４１　バネ部材
４２　軸受部
４３　回転部
５１　バネ部材
５２　軸受部
５３　回転部
６１　バネ部材
６２　軸受部
６３　回転部
６４　軸
７１，７１’　円弧状部材
７２　ピン部材
７３　第１の係止部
７４　第２の係止部
７５　耳当て部材
７６　軸
７７，７８　磁石
８１，８１’　円弧状部材
８２　ピン部材
８３　第１の係止部
８４　第２の係止部
８５　耳当て部材
９１　ワッシャ
９２　軸受部
９３　回転部
９４　軸
【手続補正３】
【補正対象書類名】図面
【補正対象項目名】図９
【補正方法】変更
【補正の内容】
【図９】
2004049531.tif 000027
【手続補正４】
【補正対象書類名】図面
【補正対象項目名】図２２
【補正方法】変更
【補正の内容】
【図２２】
2004049531.tif 000028
【手続補正５】
【補正対象書類名】図面
【補正対象項目名】図２３
【補正方法】変更
【補正の内容】
【図２３】
2004049531.tif 000029